(57)【要約】【課題】電子部品を安定して収納し、且つカバーテープの引き剥がしをスムーズに行うことが可能な技術を提供すること。【解決手段】電子部品収納部（１２）が長手方向に複数設けられたキャリアテープ（１１）と、キャリアテープ（１１）に貼り合わせられることで少なくとも電子部品収納部（１２）を覆うカバーテープ（１０）とを備え、キャリアテープ（１１）は、複数の電子部品収納部（１２）のキャリアテープ（１１）の幅方向における両端部の外側、且つキャリアテープ（１１）の長手方向に設けられた第１の接合部（１５）及び第２の接合部（１６）を備え、第１の接合部（１５）及び第２の接合部（１６）の一方又は双方は、電子部品収納部（１２）の外側から電子部品収納部（１２）の間の領域に連なって設けられた内曲部分を備える電子部品包装体（１）とする。【選択図】図２
2019172334.tif 000002
【特許請求の範囲】
【請求項１】
電子部品収納部が長手方向に複数設けられたキャリアテープと、
前記キャリアテープに貼り合わせられることで少なくとも前記電子部品収納部を覆うカバーテープとを備え、
前記キャリアテープは、
複数の前記電子部品収納部の前記キャリアテープの幅方向における両端部の外側、且つ前記キャリアテープの長手方向に設けられた第１の接合部及び第２の接合部を備え、
前記第１の接合部及び前記第２の接合部の一方又は双方は、前記電子部品収納部の外側から前記電子部品収納部の間の領域に連なって設けられた内曲部分を備える電子部品包装体。
【請求項２】
前記内曲部分は、少なくとも一つの屈曲部分を含む請求項１に記載の電子部品包装体。
【請求項３】
前記内曲部分は、少なくとも一つの湾曲部分を含む請求項１に記載の電子部品包装体。
【請求項４】
前記第１の接合部及び前記第２の接合部の各々の幅は、各々の平均幅の±２５％以内である請求項１から３のいずれか一項に記載の電子部品包装体。
【請求項５】
前記第１の接合部及び前記第２の接合部の各々の幅は、各々の平均幅の±１５％以内である請求項１から３のいずれか一項に記載の電子部品包装体。
【請求項６】
前記電子部品収納部に電子部品が収納された請求項１から５のいずれか一項に記載の電子部品包装体。
【請求項７】
請求項６に記載の電子部品包装体の前記カバーテープを引っ張ることで、前記キャリアテープから前記カバーテープを引き剥がす電子部品包装体の剥離方法。
【発明の詳細な説明】
【技術分野】
【０００１】
本発明は、電子部品を収納可能な電子部品包装体及び電子部品包装体の剥離方法に関する。
【背景技術】
【０００２】
従来、電子部品を収納する電子部品収納部が設けられたキャリアテープと、該キャリアテープに貼り合わせられたカバーテープとを備える電子部品包装体が知られている。
この電子部品包装体は、巻取リールに巻かれて１包装単位とされることが一般的である。
そして、電子部品の実装時には、カバーテープがキャリアテープから引き剥がされて、キャリアテープの電子部品収納部から電子部品が取り出される。
従って、このような電子部品包装体には、電子部品が取り出されるまで、電子部品がキャリアテープの電子部品収納部から飛び出すことなく、安定して収納された状態を維持できることが求められる。
【０００３】
従来技術の一例である特許文献１には、エンボス部に収納された電子部品を封止するカバーテープの圧着後に生じるたわみを抑えるべく、カバーテープの圧着部が、キャリアテープの流れ方向に、エンボス部開口縁部に沿って連続して設けられた表面実装電子部品搬送体が開示されている。
【０００４】
また、従来技術の一例である特許文献２には、キャリアテープとカバーテープとをシールするシール部のうち、電子部品を収納する電子部品収納部が形成されていない領域に、キャリアテープに対する食い込みが大きい食い込み部を形成することで、カバーテープとキャリアテープとの隙間を電子部品収納部の上からずらして電子部品の飛び出しを抑制する技術が開示されている。
【先行技術文献】
【特許文献】
【０００５】
【特許文献１】特開２００２−１０４５０１号公報
【特許文献２】特開２０１５−１７１８９８号公報
【発明の概要】
【発明が解決しようとする課題】
【０００６】
ところで、近年では生産性向上を目的とした実装の高速化に伴ってカバーテープの引き剥がし速度も高速化しており、より安定してカバーテープを引き剥がすことが可能な電子部品包装体が求められている。
【０００７】
しかしながら、上記の特許文献１に開示された技術では、キャリアテープとカバーテープとを接合する接合部が、電子部品収納部の縁部に沿って設けられるとともに、複数の電子部品収納部の間にも断続して設けられているため、カバーテープを引き剥がす際の引き剥がし力が場所によって異なる。
【０００８】
また、上記の特許文献２に開示された技術では、キャリアテープとカバーテープとを接合する接合部に食い込み部が形成されているため、カバーテープを引き剥がす際の引き剥がし力が場所によって異なる。
【０００９】
このように、上記の従来技術によれば、カバーテープの引き剥がし時における引き剥がし力が場所によって異なり、これを一定にすることが困難である。
そのため、電子部品収納部内の電子部品が傾き、又はカバーテープが破断する、という問題があった。
【００１０】
本発明は、上記に鑑みてなされたものであって、電子部品を安定して収納し、且つカバーテープの引き剥がしをスムーズに行うことが可能な技術を提供することを目的とする。
【課題を解決するための手段】
【００１１】
上述の課題を解決して目的を達成する本発明は、電子部品収納部が長手方向に複数設けられたキャリアテープと、前記キャリアテープに貼り合わせられることで少なくとも前記電子部品収納部を覆うカバーテープとを備え、前記キャリアテープは、複数の前記電子部品収納部の前記キャリアテープの幅方向における両端部の外側、且つ前記キャリアテープの長手方向に設けられた第１の接合部及び第２の接合部を備え、前記第１の接合部及び前記第２の接合部の一方又は双方は、前記電子部品収納部の外側から前記電子部品収納部の間の領域に連なって設けられた内曲部分を備える電子部品包装体である。
【００１２】
前記内曲部分は、少なくとも一つの屈曲部分を含むことで前記電子部品収納部の間の領域に形成可能である。
【００１３】
又は、前記内曲部分は、少なくとも一つの湾曲部分を含むことで前記電子部品収納部の間の領域に形成されていてもよい。
【００１４】
好ましくは、前記第１の接合部及び前記第２の接合部の各々の幅は、各々の平均幅の±２５％以内とする。
【００１５】
より好ましくは、前記第１の接合部及び前記第２の接合部の各々の幅は、各々の平均幅の±１５％以内とする。
【００１６】
又は、本発明は、前記電子部品収納部に電子部品が収納された電子部品包装体である。
【００１７】
又は、本発明は、上記の電子部品包装体の前記カバーテープを引っ張ることで、前記キャリアテープから前記カバーテープを引き剥がす電子部品包装体の剥離方法である。
【発明の効果】
【００１８】
本発明によれば、電子部品を安定して収納し、且つカバーテープの引き剥がしをスムーズに行うことが可能な技術を提供することができる、という効果を奏する。
【図面の簡単な説明】
【００１９】
【図１Ａ】実施形態に係る電子部品包装体が巻取リールに巻かれた状態を示す外観図である。
【図１Ｂ】図１Ａに示す電子部品包装体の拡大断面図である。
【図２】図１Ｂに示す電子部品包装体の接合面におけるキャリアテープを示す概略図である。
【図３Ａ】実施形態に係る電子部品包装体における接合部の形成方法を示す図である。
【図３Ｂ】図３Ａに示す矢印方向の矢視図である。
【図４】実施形態に係る電子部品包装体の剥離方法を示す図である。
【図５】実施形態に係る電子部品包装体の第１の変形例における接合面のキャリアテープを示す概略図である。
【図６】実施形態に係る電子部品包装体の第２の変形例における接合面のキャリアテープを示す概略図である。
【図７】実施形態に係る電子部品包装体の第３の変形例における接合面のキャリアテープを示す概略図である。
【発明を実施するための形態】
【００２０】
本発明の実施形態について図面を参照して以下に説明する。
ただし、本発明は、以下の実施形態の記載によって限定解釈されるものではない。
【００２１】
＜実施形態＞
図１Ａは、本実施形態に係る電子部品包装体１が巻取リール２に巻かれた状態を示す外観図である。
図１Ａに示すように、電子部品包装体１は、巻取リール２に巻かれた状態で保管又は搬送される。
【００２２】
図１Ｂは、図１Ａに示す電子部品包装体１の拡大断面図である。
図１Ｂに示す電子部品包装体１は、カバーテープ１０と、キャリアテープ１１とを備える。
キャリアテープ１１には、電子部品１３を収納可能な電子部品収納部１２が長手方向に複数設けられている。
カバーテープ１０は、キャリアテープ１１に貼り合わせられることで、少なくとも電子部品収納部１２を覆う。
電子部品１３の実装時には、後述するように、カバーテープ１０がキャリアテープ１１から引き剥がされ、キャリアテープ１１の電子部品収納部１２から電子部品１３が取り出される。
【００２３】
カバーテープ１０の材質としては、樹脂を例示することができる。
また、キャリアテープ１１の材質としては、紙及び樹脂を例示することができる。
ここで、樹脂としては、ポリスチレン、ポリエチレンテレフタラート、ポリプロピレン及びポリカーボネートを例示することができる。
【００２４】
また、複数の電子部品収納部１２の各々は、カバーテープ１０との接合面に形成された凹状のくぼみである。
【００２５】
なお、電子部品１３の取り出しは、一般的なピックアップ方法により行えばよく、特定の方法に限定されるものではない。
このようなピックアップ方法には、吸着コレットを備えるピックアップ装置により電子部品１３を吸着して取り出す方法を例示することができる。
【００２６】
電子部品収納部１２が浅い場合には、保管又は搬送時に生じる振動によって電子部品１３が電子部品収納部１２から飛び出し、複数の電子部品収納部１２の間に移動してしまうことがあった。
そこで、以下に説明するように、電子部品１３の電子部品収納部１２からの飛び出しを防止し、電子部品１３を安定して収納するために、複数の電子部品収納部１２の間においてカバーテープ１０とキャリアテープ１１との接合部を狭くする。
【００２７】
図２は、図１Ｂに示す電子部品包装体１の接合面におけるキャリアテープ１１を示す概略図である。
図２には、複数の送り穴１４と、複数の電子部品１３と、複数の電子部品１３の各々が収納された複数の電子部品収納部１２と、複数の送り穴１４と複数の電子部品収納部１２との間、すなわち複数の電子部品収納部１２のキャリアテープ１１の幅方向における一方の端部の外側、且つキャリアテープ１１の長手方向に沿って設けられた第１の接合部１５と、複数の電子部品収納部１２のキャリアテープ１１の幅方向における他方の端部の外側、且つキャリアテープ１１の長手方向に沿って設けられた第２の接合部１６とが示されている。
第１の接合部１５及び第２の接合部１６は、電子部品収納部１２の外側から電子部品収納部１２の間の領域に連なって設けられた内曲部分を含む。
図２に示すように、第１の接合部１５は、複数の送り穴１４と複数の電子部品収納部１２との間に設けられ、第１の接合部１５と第２の接合部１６とは互いに離間して配置され、複数の電子部品収納部１２は、第１の接合部１５と第２の接合部１６との間に設けられている。
【００２８】
略矩形状の電子部品収納部１２の短手方向は、キャリアテープ１１の長手方向に略一致する。
電子部品１３は、電子部品収納部１２と同様に略矩形状であり、電子部品１３の短手方向は電子部品収納部１２の短手方向と略一致する。
【００２９】
第１の接合部１５は、複数の送り穴１４と複数の電子部品収納部１２との間、すなわち外側に設けられた直線部分１５０と、直線部分１５０から連なり、隣接する複数の電子部品収納部１２の間に屈曲する屈曲部分１５１とを有し、直線部分１５０と屈曲部分１５１とが交互に繰り返し設けられている。
第１の接合部１５は、屈曲部分１５１により内側に曲がった形状である。
【００３０】
第２の接合部１６は、複数の電子部品収納部１２を基準として第１の接合部１５と線対称の位置に設けられている。
第２の接合部１６は、複数の電子部品収納部１２を基準として第１の接合部１５の直線部分１５０とは逆側に設けられた直線部分１６０と、直線部分１６０から連なり、隣接する複数の電子部品収納部１２の間に屈曲する屈曲部分１６１とを有し、直線部分１６０と屈曲部分１６１とが交互に繰り返し設けられている。
第２の接合部１６は、屈曲部分１６１により内側に曲がった形状である。
【００３１】
このように、第１の接合部１５及び第２の接合部１６の双方が内側に屈曲することで隣接する複数の電子部品収納部１２と２つの接合部によって囲まれた領域が狭くなり、電子部品１３の短手方向におけるカバーテープ１０の浮きを抑えることができる。
そのため、電子部品包装体１には、電子部品１３の電子部品収納部１２からの飛び出しを防止することで電子部品１３を安定して収納することができる。
【００３２】
また、第１の接合部１５及び第２の接合部１６の各々の幅は、各々の平均幅の±２５％以内とすることが好ましい。
より好ましくは、第１の接合部１５及び第２の接合部１６の各々の幅は、各々の平均幅の±１５％以内とする。
このように接合部の幅を揃えて略一定の幅とすることで、カバーテープの引き剥がし時における引き剥がし力を一定にすることができ、引き剥がし時の振動を抑え、引き剥がしをスムーズに行うことができる。
【００３３】
＜電子部品包装体への接合部の形成方法＞
第１の接合部１５及び第２の接合部１６は、カバーテープ１０をキャリアテープ１１に重ねた状態で加熱部をカバーテープ１０に接触させて形成することができる。
【００３４】
図３Ａは、本実施形態に係る電子部品包装体１における接合部の形成方法を示す図である。
図３Ａには、キャリアテープ１１と、キャリアテープ１１に重ねられたカバーテープ１０と、カバーテープ１０に接触するこて加熱部２０と、回転軸２２を中心として回転することで、こて加熱部２０を上下可動とするこて２１とが示されている。
なお、こて２１の回転軸２２は、紙面に直交する方向に配されている。
図３Ａにおいて、こて２１が回転軸２２を中心として時計回りに回転すると、こて加熱部２０はカバーテープ１０に接近して接触し、こて２１が回転軸２２を中心として反時計回りに回転すると、こて加熱部２０はカバーテープ１０から離れる。
【００３５】
図３Ｂは、図３Ａに示す矢印方向の矢視図である。
図３Ｂに示すように、こて加熱部２０は、第１の接触部２０ａ及び第２の接触部２０ｂを含み、第１の接触部２０ａと第２の接触部２０ｂとは互いに離間して設けられている。
【００３６】
電子部品１３が収納されたキャリアテープ１１にカバーテープ１０が重ねられた状態で、加熱された第１の接触部２０ａ及び第２の接触部２０ｂがカバーテープ１０に接触すると、接触部分のカバーテープ１０とキャリアテープ１１とが溶着する。
そして、第１の接触部２０ａ及び第２の接触部２０ｂがカバーテープ１０から離れ、キャリアテープ１１が図３Ａの白抜矢印で示すキャリアテープ搬送方向に少なくとも電子部品収納部１２の１つ分だけずれ、第１の接触部２０ａ及び第２の接触部２０ｂがカバーテープ１０に再度接触することで、カバーテープ１０とキャリアテープ１１との溶着部分が再度溶着される。
このような動作の繰り返しにより溶着部分が複数回溶着することで、第１の接合部１５及び第２の接合部１６が形成される。
【００３７】
なお、第１の接合部１５及び第２の接合部１６の形状は、こて加熱部２０の形状を反映したものとなるため、接合部の形状が所望の形状となるようにこて加熱部２０を選択すればよい。
このようにして図２に示す電子部品包装体１を作製することができる。
【００３８】
上述のように作製した電子部品包装体１は、搬送後又は保管後、電子部品１３の実装時にはカバーテープ１０が剥がされる。
図４は、本実施形態に係る電子部品包装体１の剥離方法を示す図である。
図４には、キャリアテープ１１に貼り合わせられたカバーテープ１０を引き剥がす様子が示されており、図４に示すキャリアテープ１１は、電子部品１３が収納された電子部品収納部１２と、複数の送り穴１４と、第１の接合部１５と、第２の接合部１６とを備える。
上述したように、本実施形態に係る電子部品包装体１の第１の接合部１５及び第２の接合部１６の各々は、略一定の幅で設けられている。
そのため、カバーテープ１０をキャリアテープ１１から引っ張ると、引き剥がし力を一定にすることができ、その結果、引き剥がし時の振動を抑え、引き剥がしをスムーズに行うことができる。
【００３９】
上述したように、第１の接合部及び第２の接合部の形状は、溶着時のこて加熱部の接触部形状によって決まる。
次に、本実施形態における第１の接合部及び第２の接合部の変形例について説明する。
【００４０】
＜第１の変形例＞
図５は、本実施形態に係る電子部品包装体１の第１の変形例における接合面のキャリアテープを示す概略図である。
図５に示す電子部品包装体１ａは、図２に示す電子部品包装体１と接合部の形状のみが異なりその他の構成は同じであるため、図２の説明を援用する。
【００４１】
図５には、複数の送り穴１４と複数の電子部品収納部１２との間、すなわち複数の電子部品収納部１２のキャリアテープ１１ａの幅方向における一方の端部の外側、且つキャリアテープ１１ａの長手方向に沿って設けられた第１の接合部１５ａと、複数の電子部品収納部１２のキャリアテープ１１ａの幅方向における他方の端部の外側、且つキャリアテープ１１ａの長手方向に沿って設けられた第２の接合部１６ａとが示されている。
【００４２】
第１の接合部１５ａ及び第２の接合部１６ａは、複数の電子部品収納部１２の間の領域に内曲部分を含む。
図５に示すように、第１の接合部１５ａは、複数の送り穴１４と複数の電子部品収納部１２との間に設けられ、第１の接合部１５ａと第２の接合部１６ａとは互いに離間して配置され、複数の電子部品収納部１２は、第１の接合部１５ａと第２の接合部１６ａとの間に設けられている。
第１の接合部１５ａは、複数の送り穴１４と複数の電子部品収納部１２との間、すなわち外側に設けられた直線部分１５０と、直線部分１５０から連なり、隣接する複数の電子部品収納部１２の間に湾曲する湾曲部分１５２とを有し、直線部分１５０と湾曲部分１５２とが交互に繰り返し設けられている。
第１の接合部１５ａは、湾曲部分１５２により内側に曲がった形状である。
【００４３】
第２の接合部１６ａは、複数の電子部品収納部１２を基準として第１の接合部１５ａと線対称の位置に設けられている。
第２の接合部１６ａは、複数の電子部品収納部１２を基準として第１の接合部１５ａの直線部分１５０とは逆側に設けられた直線部分１６０と、直線部分１６０から連なり、隣接する複数の電子部品収納部１２の間に湾曲する湾曲部分１６２とを有し、直線部分１６０と湾曲部分１６２とが交互に繰り返し設けられている。
第２の接合部１６ａは、湾曲部分１６２により内側に曲がった形状である。
【００４４】
このように、第１の接合部１５ａ及び第２の接合部１６ａの双方が内側に湾曲することで隣接する複数の電子部品収納部１２と２つの接合部によって囲まれた領域が狭くなり、電子部品１３の短手方向におけるカバーテープ１０の浮きを抑えることができる。
そのため、電子部品１３の電子部品収納部１２からの飛び出しを防止することで電子部品包装体１ａには電子部品１３を安定して収納することができる。
【００４５】
また、第１の接合部１５ａ及び第２の接合部１６ａの幅は、各々の平均幅の±２５％以内とすることが好ましい。
より好ましくは、第１の接合部１５ａ及び第２の接合部１６ａの幅は、各々の平均幅の±１５％以内とする。
このように接合部の幅を揃えて略一定の幅とすることで、カバーテープの引き剥がし時における引き剥がし力を一定にすることができ、引き剥がし時の振動を抑え、引き剥がしをスムーズに行うことができる。
【００４６】
＜第２の変形例＞
図６は、本実施形態に係る電子部品包装体１の第２の変形例における接合面のキャリアテープを示す概略図である。
図６に示す電子部品包装体１ｂは、図２に示す電子部品包装体１と接合部の形状のみが異なりその他の構成は同じであるため、図２の説明を援用する。
【００４７】
図６には、複数の送り穴１４と複数の電子部品収納部１２との間、すなわち複数の電子部品収納部１２のキャリアテープ１１ｂの幅方向における一方の端部の外側、且つキャリアテープ１１ｂの長手方向に沿って設けられた第１の接合部１５ｂと、複数の電子部品収納部１２のキャリアテープ１１ｂの幅方向における他方の端部の外側、且つキャリアテープ１１ｂの長手方向に沿って設けられた第２の接合部１６ｂとが示されている。
【００４８】
第１の接合部１５ｂ及び第２の接合部１６ｂは、複数の電子部品収納部１２の間の領域に内曲部分を含む。
図６に示すように、第１の接合部１５ｂは、複数の送り穴１４と複数の電子部品収納部１２との間に設けられ、第１の接合部１５ｂと第２の接合部１６ｂとは互いに離間して配置され、複数の電子部品収納部１２は、第１の接合部１５ｂと第２の接合部１６ｂとの間に設けられている。
第１の接合部１５ｂは、複数の送り穴１４と複数の電子部品収納部１２との間、すなわち外側に設けられた第１の直線部分１５３と、第１の直線部分１５３から連なり、隣接する複数の電子部品収納部１２の間に屈曲する第１の屈曲部分１５４と、第１の屈曲部分１５４から連なり、隣接する複数の電子部品収納部１２の間に設けられた第２の直線部分１５５と、第２の直線部分１５５から連なり、隣接する複数の電子部品収納部１２の間で屈曲する第２の屈曲部分１５６とを有し、第１の直線部分１５３と、第１の屈曲部分１５４と、第２の直線部分１５５と、第２の屈曲部分１５６とがこの順に交互に繰り返し設けられている。
第１の接合部１５ｂは、第１の屈曲部分１５４及び第２の屈曲部分１５６により内側に曲がった形状である。
【００４９】
第２の接合部１６ｂは、複数の電子部品収納部１２を基準として第１の接合部１５ｂと線対称の位置に設けられている。
第２の接合部１６ｂは、複数の電子部品収納部１２を基準として第１の接合部１５ｂの第１の直線部分１５３とは逆側に設けられた第１の直線部分１６３と、第１の直線部分１６３から連なり、隣接する複数の電子部品収納部１２の間に屈曲する第１の屈曲部分１６４と、第１の屈曲部分１６４から連なり、隣接する複数の電子部品収納部１２の間に設けられた第２の直線部分１６５と、第２の直線部分１６５から連なり、隣接する複数の電子部品収納部１２の間で屈曲する第２の屈曲部分１６６とを有し、第１の直線部分１６３と、第１の屈曲部分１６４と、第２の直線部分１６５と、第２の屈曲部分１６６とがこの順に交互に繰り返し設けられている。
第２の接合部１６ｂは、第１の屈曲部分１６４及び第２の屈曲部分１６６により内側に曲がった形状である。
また、第１の接合部１５ｂと第２の接合部１６ｂとは、複数の電子部品収納部１２を基準として線対称の位置に設けられている。
【００５０】
このように、第１の接合部１５ｂ及び第２の接合部１６ｂの双方が内側に屈曲するのみならず、複数の電子部品収納部１２の間において、第１の接合部１５ｂには第２の直線部分１５５が設けられ、第２の接合部１６ｂには第２の直線部分１６５が設けられており、屈曲部分を広く確保しつつ隣接する複数の電子部品収納部１２の間をさらに狭くすることができ、電子部品１３の短手方向におけるカバーテープの浮きを抑えることができる。
そのため、電子部品１３の電子部品収納部１２からの飛び出しを防止することで電子部品包装体１ｂには電子部品１３を安定して収納することができる。
【００５１】
また、第１の接合部１５ｂ及び第２の接合部１６ｂの幅は、各々の平均幅の±２５％以内とすることが好ましい。
より好ましくは、第１の接合部１５ｂ及び第２の接合部１６ｂの幅は、各々の平均幅の±１５％以内とする。
このように接合部の幅を揃えて略一定の幅とすることで、カバーテープの引き剥がし時における引き剥がし力を一定にすることができ、引き剥がし時の振動を抑え、引き剥がしをスムーズに行うことができる。
【００５２】
＜第３の変形例＞
図７は、本実施形態に係る電子部品包装体１の第３の変形例における接合面のキャリアテープを示す概略図である。
図７に示す電子部品包装体１ｃは、図２に示す電子部品包装体と第２の接合部の形状のみが異なりその他の構成は同じであるため、図２の説明を援用する。
【００５３】
図７には、複数の送り穴１４と複数の電子部品収納部１２との間、すなわち複数の電子部品収納部１２のキャリアテープ１１ｃの幅方向における一方の端部の外側、且つキャリアテープ１１ｃの長手方向に沿って設けられた第１の接合部１５と、複数の電子部品収納部１２のキャリアテープ１１ｃの幅方向における他方の端部の外側、且つキャリアテープ１１ｃの長手方向に沿って設けられた第２の接合部１６ｃとが示されている。
第１の接合部１５は、図２と同様に複数の電子部品収納部１２の間の領域に内曲部分を含む形状であるが、第２の接合部１６ｃは、直線状である。
【００５４】
このように、２つの接合部の一方が直線状であり、他方が内側に屈曲又は湾曲することによっても複数の電子部品収納部１２の間を狭くすることが可能であるため、図７に示す形態によっても電子部品１３の短手方向におけるカバーテープの浮きを抑えることができる。
そのため、電子部品１３の電子部品収納部１２からの飛び出しを防止することで電子部品包装体１ｃには電子部品１３を安定して収納することができる。
【００５５】
また、第１の接合部１５及び第２の接合部１６ｃの幅は、各々の平均幅の±２５％以内とすることが好ましい。
より好ましくは、第１の接合部１５ｂ及び第２の接合部１６ｂの幅は、各々の平均幅の±１５％以内とする。
このように接合部の幅を揃えて略一定の幅とすることで、カバーテープの引き剥がし時における引き剥がし力を一定にすることができ、引き剥がし時の振動を抑え、引き剥がしをスムーズに行うことができる。
【００５６】
なお、本変形例のように、一方の接合部によって複数の電子部品収納部１２の間を狭くし、他方の接合部を直線形状とする形態を上述の変形例１，２と組み合わせてもよい。
【００５７】
また、図２，５，６，７に示すように、本実施形態では、複数の電子部品収納部１２の外側に設けられた２つの接合部の一方又は双方が、複数の電子部品収納部１２の間に内曲部分を含むように形成されている。
この内曲部分は、上述のように、少なくとも一つの屈曲部分又は湾曲部分を有することで実現することができる。
また、内曲部分は、屈曲部分及び湾曲部分の双方を有していてもよい。
【００５８】
なお、上述のように、本実施形態では、外側に直線部分を有する２つの接合部について説明したが、本発明はこれに限定されるものではなく、２つの接合部の外側が湾曲した形状であってもよい。
【００５９】
また、図５から図７に示す電子部品包装体１ａ，１ｂ，１ｃの作製方法は、電子部品包装体１と同様であるため、図３Ａ，３Ｂを参照した説明を援用する。
【００６０】
また、図５から図７に示す電子部品包装体１ａ，１ｂ，１ｃの剥離方法は、電子部品包装体１と同様であるため、図４を参照した説明を援用する。
【００６１】
また、本実施形態では、電子部品を収納したキャリアテープを備える電子部品包装体について説明したが、本発明はこれに限定されるものではなく、電子部品を収納していない状態のキャリアテープを備える電子部品包装体も本発明に含まれる。
【００６２】
以上説明したように、本実施形態によれば、電子部品を安定して収納し、且つカバーテープの引き剥がしをスムーズに行うことが可能な電子部品包装体を得ることができる。
したがって、実装不良を抑えることができ、実装率を向上させることができる。
【符号の説明】
【００６３】
１，１ａ，１ｂ，１ｃ  電子部品包装体
２  巻取リール
１０  カバーテープ
１１，１１ａ，１１ｂ，１１ｃ  キャリアテープ
１２  電子部品収納部
１３  電子部品
１４  送り穴
１５，１５ａ，１５ｂ  第１の接合部
１６，１６ａ，１６ｂ，１６ｃ  第２の接合部
２０  こて加熱部
２０ａ  第１の接触部
２０ｂ  第２の接触部
２１  こて
２２  回転軸
１５０，１６０  直線部分
１５１，１６１  屈曲部分
１５２，１６２  湾曲部分
１５３，１６３  第１の直線部分
１５４，１６４  第１の屈曲部分
１５５，１６５  第２の直線部分
１５６，１６６  第２の屈曲部分
【図１Ａ】
2019172334.tif 000003
【図１Ｂ】
2019172334.tif 000004
【図２】
2019172334.tif 000005
【図３Ａ】
2019172334.tif 000006
【図３Ｂ】
2019172334.tif 000007
【図４】
2019172334.tif 000008
【図５】
2019172334.tif 000009
【図６】
2019172334.tif 000010
【図７】
2019172334.tif 000011